(57)【要約】【課題】画像の品質を向上させた記録装置を提供すること。【解決手段】記録装置（インクジェットプリンター１００）は、第１照射部５１、第２照射部５２と、第１照射部５１と第２照射部５２との間に設けられた第３照射部５３と、第１照射部５１と第３照射部５３との間に設けられた第１ノズル列群７１と、第２照射部５２と第３照射部５３との間に設けられた第２ノズル列群７２と、が第１方向に沿って設けられた走査部としてのヘッドユニット３５を備え、第１ノズル列群７１と第１照射部５１との間の距離Ｌ１は、第２ノズル列群７２と第３照射部５３との間の距離Ｌ４と等しく、第２ノズル列群７２と第２照射部５２との間の距離Ｌ３は、第１ノズル列群７１と第３照射部５３との間の距離Ｌ２と等しい。【選択図】図４
2016182721.tif 000002
【特許請求の範囲】
【請求項１】
第１照射部と、
第２照射部と、
前記第１照射部と前記第２照射部との間に設けられた第３照射部と、
前記第１照射部と前記第３照射部との間に設けられた第１ノズル列群と、
前記第２照射部と前記第３照射部との間に設けられた第２ノズル列群と、が第１方向に沿って設けられた走査部を備え、
前記第１ノズル列群と前記第１照射部との間の距離は、前記第２ノズル列群と前記第３照射部との間の距離と等しく、
前記第２ノズル列群と前記第２照射部との間の距離は、前記第１ノズル列群と前記第３照射部との間の距離と等しいこと、を特徴とする記録装置。
【請求項２】
前記第１ノズル列群と前記第１照射部との間の距離は、前記第１ノズル列群と前記第３照射部との間の距離と等しく、
前記第２ノズル列群と前記第２照射部との間の距離は、前記第２ノズル列群と前記第３照射部との間の距離と等しいこと、を特徴とする請求項１に記載の記録装置。
【請求項３】
前記走査部を前記第１照射部から前記第２照射部へ向かう方向に移動させる場合に、前記第１照射部及び前記第３照射部から光を照射させ、
前記走査部を前記第２照射部から前記第１照射部へ向かう方向に移動させる場合に、前記第２照射部及び前記第３照射部から光を照射させること、を特徴とする請求項１または請求項２に記載の記録装置。
【請求項４】
前記第１ノズル列群及び前記第２ノズル列群のうちの少なくとも一方は、前記第１方向と交差する第２方向に複数設けられていること、を特徴とする請求項１から請求項３のいずれか一項に記載の記録装置。
【請求項５】
前記第１照射部及び前記第２照射部のうちの少なくとも一方は複数の照射器を有し、
前記第１照射部の前記照射器は、前記第１ノズル列群と同数であり、
前記第２照射部の前記照射器は、前記第２ノズル列群と同数であること、を特徴とする請求項４に記載の記録装置。
【請求項６】
第１照射部と、
第２照射部と、
前記第１照射部と前記第２照射部との間に設けられた第３照射部と、
前記第１照射部と前記第３照射部との間に設けられた第１ノズル列群と、
前記第２照射部と前記第３照射部との間に設けられた第２ノズル列群と、が第１方向に沿って設けられた走査部を備え、
前記第１ノズル列群と前記第１照射部との間の距離と、前記第２ノズル列群と前記第３照射部との間の距離と、前記第２ノズル列群と前記第２照射部との間の距離と、前記第２ノズル列群と前記第３照射部との間の距離と、が等しい記録装置の記録方法であって、
前記第１照射部及び前記第３照射部から光を照射して、前記走査部を前記第１照射部から前記第２照射部へ向かう方向に移動する第１主走査工程と、
前記第２照射部及び前記第３照射部から光を照射して、前記走査部を前記第２照射部から前記第１照射部へ向かう方向に移動する第２主走査工程と、
を含むことを特徴とする記録方法。
【発明の詳細な説明】
【技術分野】
【０００１】
本発明は、記録装置及び記録方法に関する。
【背景技術】
【０００２】
従来から、記録装置の一例として、紫外線などの光を照射して硬化させる光硬化型インクを用いて、紙やフィルムなどの各種媒体に向かって液滴を吐出し、媒体上に複数のドットを形成することで画像の記録（印字）を行うインクジェット式プリンターが知られていた。インクジェット式プリンターは、例えば、媒体に対して、複数のノズルが形成されたヘッドを主走査方向（第１方向）に移動させながら各ノズルから液滴を吐出させて媒体の主走査方向に並ぶドット列（ラスターライン）を形成させる主走査と、媒体を主走査方向と交差する副走査方向（第２方向）に搬送させる副走査と、を交互に繰り返す。これにより、媒体の主走査方向と副走査方向とにドットが隙間なく並べられ、媒体上に画像が形成される。例えば、特許文献１には、第１方向に沿って、紫外線を照射する二つの紫外線照射ヘッドの間に二つの記録ヘッドを備え、二つの記録ヘッドは第２方向において異なる位置に配置されている記録装置が開示されている。
【先行技術文献】
【特許文献】
【０００３】
【特許文献１】特開２００９−９６０６０号公報
【発明の概要】
【発明が解決しようとする課題】
【０００４】
しかしながら、特許文献１に記載の記録装置は、周期的な光沢バンディングが視認され易くなるという課題があった。図７（ａ）は、従来技術によるノズル列群（記録ヘッド）と照射部（紫外線照射ヘッド）との位置関係を示す図である。従来技術では、第１ノズル列群３７１と第１照射部３５１との間の距離Ｌ３１より、第２ノズル列群３７２と第１照射部３５１との間の距離Ｌ３２の方が長くなっている。これにより、例えば、走査部としてのヘッドユニット３３５が第１照射部３５１から第２照射部３５２へ向かう方向に移動する場合、第１ノズル列群３７１から吐出された液滴は、第２ノズル列群３７２から吐出された液滴よりも早く硬化するので、形成されるドットの形状が異なる。
【０００５】
図７（ｂ）は、媒体に形成されたドットの断面形状を示す模式図である。ドット３６１は、第１ノズル列群３７１から吐出された液滴により形成されたドットの断面形状を示し、ドット３６２は、第２ノズル列群３７２から吐出された液滴により形成されたドットの断面形状を示している。ドット３６１はドット３６２よりも早く硬化されるので、媒体１０に着弾した液滴は、半球状に近い形状で硬化する。逆に、ドット３６２はドット３６１よりも遅く硬化されるので、媒体１０に着弾した液滴は、媒体１０に濡れ広がりドット３６１よりも平坦な形状で硬化する。半球状のドット３６１に当たった外光は多方向に乱反射し、平坦な形状のドット３６２に当たった外光は同一方向に反射するので、この記録装置で形成された画像には第２方向に向かって周期的な光沢バンディングが生じてしまう。
ヘッドユニット３３５が第２照射部３５２から第１照射部３５１へ向かう方向に移動する場合においても、第２ノズル列群３７２と第２照射部３５２との間の距離Ｌ３３より、第１ノズル列群３７１と第２照射部３５２との間の距離Ｌ３４の方が長くなっているので同様の光沢バンディングが生じてしまう。
【課題を解決するための手段】
【０００６】
本発明は、上述の課題の少なくとも一部を解決するためになされたものであり、以下の形態又は適用例として実現することが可能である。
【０００７】
［適用例１］本適用例に係る記録装置は、第１照射部と、第２照射部と、前記第１照射部と前記第２照射部との間に設けられた第３照射部と、前記第１照射部と前記第３照射部との間に設けられた第１ノズル列群と、前記第２照射部と前記第３照射部との間に設けられた第２ノズル列群と、が第１方向に沿って設けられた走査部を備え、前記第１ノズル列群と前記第１照射部との間の距離は、前記第２ノズル列群と前記第３照射部との間の距離と等しく、前記第２ノズル列群と前記第２照射部との間の距離は、前記第１ノズル列群と前記第３照射部との間の距離と等しいこと、を特徴とする。
【０００８】
本適用例によれば、走査部が第１照射部から第２照射部へ向かう方向へ移動する場合、第１ノズル列群から吐出された液滴は第１照射部の光で硬化され、第２ノズル列群から吐出された液滴は第３照射部の光で硬化される。本適用例の記録装置は、第１ノズル列群と第１照射部との間の距離と、第２ノズル列群と第３照射部との間の距離と、が等しいので、各々のノズル列群から吐出した液滴が硬化するまでの時間も等しくなり、形成されるドットの形状も同じになるので、光沢バンディングが視認され難くなる。
また、走査部が第２照射部から第１照射部へ向かう方向に移動する場合、第２ノズル列群から吐出された液滴は第２照射部の光で硬化され、第１ノズル列群から吐出された液滴は第３照射部の光で硬化される。本適用例の記録装置は、第２ノズル列群と第２照射部との間の距離と、第１ノズル列群と第３照射部との間の距離と、が等しいので、各々のノズル列群から吐出した液滴が硬化するまでの時間も等しくなり、形成されるドットの形状も同じになるので、光沢バンディングが視認され難くなる。
したがって、画像品質を向上させた記録装置を提供することができる。
【０００９】
［適用例２］上記適用例に記載の記録装置において、前記第１ノズル列群と前記第１照射部との間の距離は、前記第１ノズル列群と前記第３照射部との間の距離と等しく、前記第２ノズル列群と前記第２照射部との間の距離は、前記第２ノズル列群と前記第３照射部との間の距離と等しいこと、が好ましい。
【００１０】
本適用例によれば、記録装置は、第１ノズル列群と第１照射部との間の距離は、第１ノズル列群と第３照射部との間の距離と等しく、第２ノズル列群と第２照射部との間の距離は、第２ノズル列群と第３照射部との間の距離と等しい。これにより、本適用例の記録装置は、第１ノズル列群と第１照射部との間の距離、第１ノズル列群と第３照射部との間の距離、第２ノズル列群と第２照射部との間の距離、第２ノズル列群と第３照射部との間の距離がすべて等しくなっている。これにより、走査部が第１照射部から第２照射部へ向かう方向の移動と、第２照射部から第１照射部へ向かう方向の移動と、を繰り返して印刷を行う場合においても、形成されるドットの形状は同じになるので、光沢バンディングが視認され難くなる。
【００１１】
［適用例３］上記適用例に記載の記録装置において、前記走査部を前記第１照射部から前記第２照射部へ向かう方向に移動させる場合に、前記第１照射部及び前記第３照射部から光を照射させ、前記走査部を前記第２照射部から前記第１照射部へ向かう方向に移動させる場合に、前記第２照射部及び前記第３照射部から光を照射させること、が好ましい。
【００１２】
本適用例によれば、記録装置は、走査部が第１照射部から第２照射部へ向かう方向に移動する場合、第１照射部及び第３照射部から光が照射され、走査部が第２照射部から第１照射部へ向かう方向に移動する場合、第２照射部及び第３照射部から光が照射される。換言すると、各々の方向に向かう下流側に位置し、液滴の硬化に用いられない照射部からは光を照射させないので、消費電力を低減することができる。
【００１３】
［適用例４］上記適用例に記載の記録装置において、前記第１ノズル列群及び前記第２ノズル列群のうちの少なくとも一方は、前記第１方向と交差する第２方向に複数設けられていること、が好ましい。
【００１４】
本適用例によれば、走査部には、第１ノズル列群及び第２ノズル列群のうちの少なくとも一方が第１方向と交差する第２方向に複数設けられているので、印刷速度を向上させることができる。
【００１５】
［適用例５］上記適用例に記載の記録装置において、前記第１照射部及び前記第２照射部のうちの少なくとも一方は複数の照射器を有し、前記第１照射部の前記照射器は、前記第１ノズル列群と同数であり、前記第２照射部の前記照射器は、前記第２ノズル列群と同数であること、が好ましい。
【００１６】
本適用例によれば、第１ノズル列群が第２方向に複数設けられている場合において、第１照射部は、走査部が第１照射部から第２照射部へ向かう方向に移動する場合の下流側に第１ノズル列群と同数に分割された照射器で構成されている。第２ノズル列群が第２方向に複数設けられている場合において、第２照射部は、走査部が第２照射部から第１照射部へ向かう方向に移動する場合の下流側に第２ノズル列群と同数に分割された照射器で構成されている。これにより、第１照射部及び第２照射部が故障した際は、分割された照射器単位での交換が可能となり、交換部材のコストの低下及び交換効率の向上を図ることができる。
【００１７】
［適用例６］本適用例に係る記録方法は、第１照射部と、第２照射部と、前記第１照射部と前記第２照射部との間に設けられた第３照射部と、前記第１照射部と前記第３照射部との間に設けられた第１ノズル列群と、前記第２照射部と前記第３照射部との間に設けられた第２ノズル列群と、が第１方向に沿って設けられた走査部を備え、前記第１ノズル列群と前記第１照射部との間の距離と、前記第２ノズル列群と前記第３照射部との間の距離と、前記第２ノズル列群と前記第２照射部との間の距離と、前記第２ノズル列群と前記第３照射部との間の距離と、が等しい記録装置の記録方法であって、前記第１照射部及び前記第３照射部から光を照射して、前記走査部を前記第１照射部から前記第２照射部へ向かう方向に移動する第１主走査工程と、前記第２照射部及び前記第３照射部から光を照射して、前記走査部を前記第２照射部から前記第１照射部へ向かう方向に移動する第２主走査工程と、を含むことを特徴とする。
【００１８】
本適用例によれば、記録装置の記録方法は、第１照射部及び第３照射部から光を照射しながら走査部を第１照射部から第２照射部へ向かう方向に移動する第１主走査工程と、第２照射部及び第３照射部から光を照射しながら走査部を第２照射部から第１照射部へ向かう方向に移動する第２主走査工程と、を含んでいる。また、第１ノズル列群と第１照射部との間の距離と、第２ノズル列群と第３照射部との間の距離と、第２ノズル列群と第２照射部との間の距離と、第２ノズル列群と第３照射部との間の距離と、がすべて等しくなっている。これにより、第１主走査工程と第２主走査工程とを繰り返して印刷を行う場合においても、形成されるドットの形状は同じになるので、光沢バンディングが視認され難い画像を記録することができる。また、第１主走査工程および第２主走査工程において、走査部の移動方向の下流側に当たる照射部からは光を照射しないので消費電力を低減することができる。したがって、消費電力を低減し、画像品質を向上させる印刷方法を提供することができる。
【図面の簡単な説明】
【００１９】
【図１】実施形態に係る記録装置としてのインクジェットプリンターの全体構成を示す（ａ）ブロック図。（ｂ）斜視図。
【図２】ノズル列群の配列の一例を示す説明図。
【図３】ノズル列群の内部構成を示す断面図。
【図４】ヘッドユニットの概略構成を示す平面図。
【図５】用紙に画像を記録する記録方法を示す説明図。
【図６】変形例に係るヘッドユニットの概略構成を示す平面図。
【図７】従来技術による（ａ）ノズル列群（記録ヘッド）と照射部（紫外線照射ヘッド）との位置関係を示す図。（ｂ）媒体に形成されたドットの断面形状を示す模式図。
【発明を実施するための形態】
【００２０】
以下、本発明の実施形態について、図面を参照して説明する。なお、以下の各図においては、各層や各部材を認識可能な程度の大きさにするため、各層や各部材の尺度を実際とは異ならせている。
また、図１および図３〜図６では、説明の便宜上、互いに直交する三軸として、Ｘ軸、Ｙ軸及びＺ軸を図示しており、軸方向を図示した矢印の先端側を「＋側」、基端側を「−側」としている。また、以下では、Ｘ軸に平行な方向を「Ｘ軸方向」又は「主走査方向」、Ｙ軸に平行な方向を「Ｙ軸方向」又は「副走査方向」、Ｚ軸に平行な方向を「Ｚ軸方向」という。
【００２１】
（実施形態）
＜記録装置＞
図１（ａ）は、実施形態１に係る記録装置としてのインクジェットプリンターの全体構成を示すブロック図、図１（ｂ）は、斜視図である。
まず、インクジェットプリンター１００の基本構成について説明する。
【００２２】
＜インクジェットプリンターの基本構成＞
インクジェットプリンター１００は、搬送ユニット２０、キャリッジユニット３０、走査部としてのヘッドユニット３５、及び制御部６０を有している。外部装置であるコンピューター１１０から印刷データ（画像形成データ）を受信したインクジェットプリンター１００は、制御部６０によって各ユニット（搬送ユニット２０、キャリッジユニット３０、ヘッドユニット３５）を制御する。制御部６０は、コンピューター１１０から受信した印刷データに基づいて、各ユニットを制御し、媒体としての用紙１０に画像を印刷（画像形成）する。
【００２３】
キャリッジユニット３０は、ヘッドユニット３５を第１方向（図１（ｂ）に示すＸ軸方向、以下主走査方向という）に走査（移動）させるためのものであり、ヘッドユニット３５を用紙１０に対して相対移動する。キャリッジユニット３０は、キャリッジ３１、キャリッジモーター３２などを有している。キャリッジ３１は、ヘッドユニット３５とインクカートリッジ６とを保持している。インクカートリッジ６は、紫外線などの光を照射することにより硬化する光硬化型インクを貯留するものであり、キャリッジ３１に対して着脱自在に取り付けられている。キャリッジ３１は、主走査方向に往復移動可能であり、キャリッジモーター３２によって駆動される。これにより、ヘッドユニット３５が主走査方向（±Ｘ軸方向）に移動される。
【００２４】
搬送ユニット２０は、主走査方向と交差する第２方向（図１（ｂ）に示すＹ軸方向、以下副走査方向という）に用紙１０を搬送（移動）させるためのものである。この搬送ユニット２０は、給紙ローラー２１と、搬送モーター２２と、搬送ローラー２３と、プラテン２４と、排紙ローラー２５などを有している。給紙ローラー２１は、紙挿入口（図示せず）に挿入された用紙１０をインクジェットプリンター１００の内部に給紙するためのローラーである。搬送ローラー２３は、給紙ローラー２１によって給紙された用紙１０を印刷可能な領域まで搬送するローラーであり、搬送モーター２２によって駆動される。プラテン２４は、印刷中の用紙１０を支持する。排紙ローラー２５は、用紙１０をプリンターの外部に排出するローラーであり、印刷可能な領域に対して副走査方向の下流側に設けられている。
【００２５】
ヘッドユニット３５は、用紙１０にインクを液滴に吐出する複数のノズルを備えたノズル列群７０と、用紙１０に吐出された液滴を硬化させる紫外線などの光を照射する照射部５０とを備えている。照射部５０は、紫外線などの光を照射する光源としてＬＥＤ（Ｌｉｇｈｔ  Ｅｍｉｔｔｉｎｇ  Ｄｉｏｄｅ）やメタルハイドランプなどの照射器５５（図４参照）を備えている。このヘッドユニット３５はキャリッジ３１に搭載されているため、キャリッジ３１が主走査方向に移動すると、ノズル列群７０も主走査方向に移動する。
【００２６】
制御部６０は、インクジェットプリンター１００の制御を行うためのものである。制御部６０は、インターフェイス部６１、ＣＰＵ（Ｃｅｎｔｒａｌ  Ｐｒｏｃｅｓｓｉｎｇ  Ｕｎｉｔ）６２、メモリー６３、ユニット制御回路６４、及び駆動信号生成部６５を含んでいる。インターフェイス部６１は、外部装置であるコンピューター１１０とインクジェットプリンター１００との間でデータの送受信を行う。ＣＰＵ６２は、プリンター全体の制御を行うための演算処理装置である。メモリー６３は、ＣＰＵ６２のプログラムを格納する領域や作業領域等を確保するためのものであり、ＲＡＭ（Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒy）などの記憶素子を有している。
【００２７】
ＣＰＵ６２は、メモリー６３に格納されているプログラムに従って、ユニット制御回路６４を介して各ユニット（搬送ユニット２０、キャリッジユニット３０、ヘッドユニット３５）を制御する。駆動信号生成部６５は、ノズル４３（図３参照）からインクを吐出させる圧電素子４５（図３参照）を駆動するための駆動信号を生成する。
【００２８】
印刷を行う際、制御部６０が、ノズル列群７０からインクを吐出しながら、ヘッドユニット３５を主走査方向に相対移動することで、用紙１０に主走査方向に沿って形成されたドットの列（ラスターライン）が印刷される。この動作を「主走査」または「パス」という。また、一本のラスターラインをｎ回の主走査で形成させることを「ｎパス印刷」という。
【００２９】
＜ノズル列群の構成＞
図２は、ノズル列群７０の配列の一例を示す説明図である。図３は、ノズル列群７０の内部構成を示す断面図である。
図２に示すように、ノズル列群７０には、８個のノズル列４９が設けられており、ノズル列群７０の下面（図１における−Ｚ軸側の面）には、これらノズル４３の吐出口が開口しているノズルプレート４２が備えられている。８個のノズル列４９は、それぞれ濃シアン（Ｃ）、濃マゼンタ（Ｍ）、イエロー（Ｙ）、濃ブラック（Ｋ）、淡シアン（ＬＣ）、淡マゼンタ（ＬＭ）、淡ブラック（ＬＫ）、極淡ブラック（ＬＬＫ）のインクを吐出する。
【００３０】
各ノズル列４９には、例えば、副走査方向に並ぶ１８０個のノズル４３（ノズル番号＃１〜ノズル番号＃１８０）が１８０ｄｐｉ（ｄｏｔｓ  ｐｅｒ  ｉｎｃｈ）のノズルピッチで設けられている。なお、ノズル４３の数、ノズル列４９の数、及びインクの種類は一例であり、これに限定するものではない。
【００３１】
図３に示すように、ノズル列群７０は、ノズルプレート４２を備え、ノズルプレート４２には、ノズル４３が形成されている。ノズルプレート４２の上側（＋Ｚ軸側）であってノズル４３と相対する位置には、ノズル４３と連通するキャビティー４７が形成されている。そして、ノズル４３のキャビティー４７には、インクカートリッジ６に貯留されているインクが供給される。
【００３２】
キャビティー４７の上側（＋Ｚ軸側）には、上下方向（±Ｚ軸方向）に振動して、キャビティー４７内の容積を拡大及び縮小させる振動板４４と、上下方向に伸縮して振動板４４を振動させる圧電素子４５が配設されている。圧電素子４５が上下方向に伸縮して振動板４４を振動させ、振動板４４がキャビティー４７内の容積を拡大縮小させることでキャビティー４７が加圧される。これにより、キャビティー４７内の圧力が変動し、キャビティー４７内に供給されたインクは、ノズル４３を通って吐出されるようになっている。
【００３３】
ノズル列群７０を備えたヘッドユニット３５が、駆動信号生成部６５（図１参照）で生成された圧電素子４５を制御駆動するための駆動信号を受けると、圧電素子４５が伸張して、振動板４４がキャビティー４７内の容積を縮小する。その結果、ノズル列群７０のノズル４３からは、縮小した容積分のインクが液滴４６として吐出される。なお、本実施形態では、縦振動型の圧電素子４５を用いた加圧手段を例示したが、これに限定されるものではない。例えば、下電極と圧電体層と上電極とを積層形成した撓み変形型の圧電素子を用いてもよい。また、圧力発生手段として、振動板と電極との間に静電気を発生させて、静電気力によって振動板を変形させてノズルから液滴を吐出させるいわゆる静電式アクチュエーターなどを使用してもよい。さらには、発熱体を用いてノズル内に泡を発生させ、その泡によってインクを液滴として吐出させる構成を有するヘッドであってもよい。
【００３４】
＜ヘッドユニットの構成＞
図４は、ヘッドユニットの概略構成を示す平面図である。図４は、図１（ｂ）におけるヘッドユニット３５を底面（−Ｚ軸側）から見た図である。走査部としてのヘッドユニット３５は、上述した二つのノズル列群７０としての第１ノズル列群７１、第２ノズル列群７２及び三つの照射部５０としての第１照射部５１、第２照射部５２、第３照射部５３を備えている。詳しくは、ヘッドユニット３５には、第１照射部５１と、第２照射部５２と、第１照射部５１と第２照射部５２との間に設けられた第３照射部５３と、第１照射部５１と第３照射部５３との間に設けられた第１ノズル列群７１と、第２照射部５２と第３照射部５３との間に設けられた第２ノズル列群７２と、が第１方向（主走査方向）に沿って設けられている。
【００３５】
さらに、主走査方向と交差する第２方向（副走査方向）において、第１ノズル列群７１の中心は第２ノズル列群７２の中心と異なる位置に配置されている。詳しくは、第１ノズル列群７１と第２ノズル列群７２とは、第１ノズル列群７１の下流側（＋Ｙ軸側）の端部に位置するノズル４３（図２参照）と、第２ノズル列群７２の上流側（−Ｙ軸側）の端部に位置するノズル４３と、の副走査方向における間隔が、ノズル列４９（図２参照）のノズルピッチと等しくなる位置に配置されている。ここで、間隔が等しいとは、組み付け誤差等を考慮して実質的に等価であるとみなせるものも含んでいる。なお、第１ノズル列群７１と第２ノズル列群７２とは、第１ノズル列群７１の副走査方向の下流側に位置する一部のノズル４３と第２ノズル列群７２の副走査方向の上流側に位置する一部のノズル４３とが、主走査方向において重複するように配置させてもよい。これにより、画像品質を向上させることができる。
【００３６】
第１照射部５１及び第２照射部５２は照射器５５を有している。照射器５５は、Ｘ軸方向からみて、第１ノズル列群７１または第２ノズル列群７２のＹ軸方向の幅と重なる位置に配置されている。また、第３照射部５３は、二つの照射器５５がＹ軸方向に隙間なく組み合わされ、Ｘ軸方向からみて第１ノズル列群７１及び第２ノズル列群７２のＹ軸方向の幅と重なる位置に配置されている。
【００３７】
各ノズル列群と隣り合う照射部との間隔について説明する。第１ノズル列群７１と第１照射部５１との間の距離Ｌ１は、第２ノズル列群７２と第３照射部５３との間の距離Ｌ４と等しく、第２ノズル列群７２と第２照射部５２との間の距離Ｌ３は、第１ノズル列群７１と第３照射部５３との間の距離Ｌ２と等しい。さらに、第１ノズル列群７１と第１照射部５１との間の距離Ｌ１は、第１ノズル列群７１と第３照射部５３との間の距離Ｌ２と等しく、第２ノズル列群７２と第２照射部５２との間の距離Ｌ３は、第２ノズル列群７２と第３照射部５３との間の距離Ｌ４と等しい。すなわち、距離Ｌ１，Ｌ２，Ｌ３，Ｌ４はすべて等しくなっている。
【００３８】
＜記録方法＞
図５は、用紙に画像を記録する記録方法を示す説明図である。図５は、図４で説明した走査部としてのヘッドユニット３５を図４の紙面裏側（＋Ｚ軸側）からみた状態を透視して示している。なお、本実施形態では、説明の簡略化のため、一本のラスターラインを一回の主走査で記録する１パス印刷の場合を示す。また、図５において、白抜きで表した第１〜第３照射部５１，５２，５３は、紫外線などの光を照射している状態を示している。
【００３９】
図５のＡに示すヘッドユニット３５は、第１照射部５１及び第３照射部５３から光を照射して、走査部としてのヘッドユニット３５を第１照射部５１から第２照射部５２へ向かう方向に移動する第１主走査工程を行う場合の用紙１０とヘッドユニット３５との相対位置を示している。図５のＢに示すヘッドユニット３５は、第２照射部５２及び第３照射部５３から光を照射して、走査部としてのヘッドユニット３５を第２照射部５２から第１照射部５１へ向かう方向に移動する第２主走査工程を行う場合の用紙１０とヘッドユニット３５との相対位置を示している。つまり、図５ではヘッドユニット３５が用紙１０に対して移動しているように描かれているが、ヘッドユニット３５と用紙１０の位置関係を相対的に変更すればよく、ヘッドユニット３５が移動してもよいし、用紙１０が移動してもよいし、ヘッドユニット３５と用紙１０との双方が移動してもよい。本実施形態では、用紙１０を副走査方向に搬送する場合を例として説明する。
【００４０】
まず、インクジェットプリンター１００の制御部６０（図１参照）は、搬送ユニット２０を制御して用紙１０を副走査方向に搬送させる副走査工程を行い、図５のＡに示すヘッドユニット３５と用紙１０との相対位置に移動する。
【００４１】
次に制御部６０は、第１ノズル列群７１及び第２ノズル列群７２から光硬化型インクを液滴に吐出し、且つ第１照射部５１及び第３照射部５３から光を照射して、ヘッドユニット３５を第１照射部５１から第２照射部５２へ向かう方向に移動する第１主走査工程を行う。これにより、領域Ｒ１に含まれるラスターラインにドットが形成される。この時、ヘッドユニット３５が移動する方向の下流側に位置し、液滴の硬化に用いられない第２照射部５２からは光を照射しないので、消費電力を低減することができる。ここで、第３照射部５３について、第１ノズル列群７１に対応する領域と、第２ノズル列群７２に対応する領域と、で各々制御可能な構成とした場合は、第３照射部５３の第１ノズル列群７１に対応する領域からは光を照射しない構成とすることができため、さらに消費電力を低減することができる。
【００４２】
次に、制御部６０は、副走査方向における第１ノズル列群７１及び第２ノズル列群７２で形成される幅に相当する距離だけ用紙１０を副走査方向に搬送させる副走査工程を行い、図５のＢに示すヘッドユニット３５と用紙１０との相対位置に移動する。
【００４３】
次に、制御部６０は、第１ノズル列群７１及び第２ノズル列群７２から光硬化型インクを液滴に吐出し、且つ第２照射部５２及び第３照射部５３から光を照射して、ヘッドユニット３５を第２照射部５２から第１照射部５１へ向かう方向に移動する第２主走査工程を行う。これにより、領域Ｒ２に含まれるラスターラインにドットが形成される。この時、ヘッドユニット３５が移動する方向の下流側に位置し、液滴の硬化に用いられない第１照射部５１からは光を照射しないので、消費電力を低減することができる。ここで、第３照射部５３について、第１ノズル列群７１に対応する領域と、第２ノズル列群７２に対応する領域と、で各々制御可能な構成とした場合は、第３照射部５３の第２ノズル列群７２に対応する領域からは光を照射しない構成とすることができため、さらに消費電力を低減することができる。
【００４４】
以降、副走査工程を挟んで第１主走査工程と第２主走査工程とを繰り返すことで、用紙１０に画像が記録される。上述したように、本実施形態のインクジェットプリンター１００は、第１ノズル列群７１と第１照射部５１との間の距離Ｌ１、第１ノズル列群７１と第３照射部５３との間の距離Ｌ２、第２ノズル列群７２と第２照射部５２との間の距離Ｌ３、第２ノズル列群７２と第３照射部５３との間の距離Ｌ４がすべて等しい。これにより、第１主走査工程及び第２主走査工程において、第１及び第２ノズル列群７１，７２から吐出した液滴が硬化するまでの時間も等しくなり、形成されるドットの形状も同じになるので、用紙１０に記録された画像の光沢バンディングが視認され難くなる。
【００４５】
なお、本実施形態のインクジェットプリンター１００では、１パス印刷するものと説明したが、一本のラスターラインを複数回のパスで記録させてもよい。これにより、スジや濃淡のバンディングを軽減することができる。
また、第１及び第２ノズル列群７１，７２と隣り合う第１〜第３照射部５１，５２，５３との距離Ｌ１，Ｌ２，Ｌ３，Ｌ４はすべて等しいものと説明したが、形成される画像の画質に影響しない範囲で、若干の誤差を含んでいてもよい。
【００４６】
以上述べたように、本実施形態に係る記録装置（インクジェットプリンター１００）によれば、以下の効果を得ることができる。
インクジェットプリンター１００は、第１及び第２ノズル列群７１，７２と、第１及び第２ノズル列群７１，７２と隣り合う第１〜第３照射部５１，５２，５３と、の間の各距離Ｌ１，Ｌ２，Ｌ３，Ｌ４がすべて等しい。これにより、第１及び第２ノズル列群７１，７２から吐出された液滴が硬化されるまでの時間も等しくなり、同じ形状のドットが形成されるので、用紙１０に記録された画像の光沢バンディングが視認され難くなる。したがって、画像品質を向上させた記録装置としてのインクジェットプリンター１００を提供することができる。
【００４７】
インクジェットプリンター１００の記録方法は、ヘッドユニット３５を第１照射部５１から第２照射部５２へ向かう方向に移動する第１主走査工程と、ヘッドユニット３５を第２照射部５２から第１照射部５１へ向かう方向に移動する第２主走査工程と、を含んでいる。第１及び第２ノズル列群７１，７２と、第１及び第２ノズル列群７１，７２と隣り合う第１〜第３照射部５１，５２，５３と、の間の各距離Ｌ１，Ｌ２，Ｌ３，Ｌ４がすべて等しい。これにより、第１主走査工程及び第２主走査工程において、第１及び第２ノズル列群７１，７２から吐出した液滴が硬化するまでの時間も等しくなり、形成されるドットの形状が同じになる。インクジェットプリンター１００は、副走査工程を挟んで第１主走査工程と第２主走査工程とを繰り返すことで、用紙１０に光沢バンディングが視認され難い画像を記録することができる。したがって、画像品質を向上させた記録方法を提供することができる。
また、第１主走査工程においてヘッドユニット３５の下流側に位置し液滴の硬化に用いられない第２照射部５２からは光を照射せず、第２主走査工程においてヘッドユニット３５の下流側に位置し液滴の硬化に用いられない第１照射部５１からは光を照射しないので、消費電力を低減することができる。
【００４８】
なお、本発明は上述した実施形態に限定されず、上述した実施形態に種々の変更や改良などを加えることが可能である。変形例を以下に述べる。
【００４９】
（変形例）
図６は、変形例に係るヘッドユニットの概略構成を示す平面図である。上記実施形態では、図４に示したように、ヘッドユニット３５は、各々一つの第１ノズル列群７１及び第２ノズル列群７２を備えているものと説明したが、この構成に限定するものではない。
以下に、変形例に係る記録装置としてのインクジェットプリンター２００について説明する。なお、実施形態と同一の構成部位については、同一の番号を附し、重複する説明は省略する。
【００５０】
図６は、図１（ｂ）におけるヘッドユニット２３５を底面（−Ｚ軸側）から見た図である。ヘッドユニット２３５には、第１ノズル列群７１及び第２ノズル列群７２のうちの少なくとも一方は、第２方向（副走査方向）に複数設けられている。本変形例では、第１ノズル列群７１及び第２ノズル列群７２の両方が、副走査方向に複数設けられている。
【００５１】
副走査方向における、第１ノズル列群７１と第２ノズル列群７２との位置関係を説明する。なお、説明の便宜上、一部の第１及び第２ノズル列群を第１ノズル列群７１ａ，７１ｂ、第２ノズル列群７２ａと表記して説明する。
第１ノズル列群７１ａと第２ノズル列群７２ａとは、第１ノズル列群７１ａの下流側（＋Ｙ軸側）の端部に位置するノズル４３と、第２ノズル列群７２ａの上流側（−Ｙ軸側）の端部に位置するノズル４３と、の副走査方向における間隔が、ノズル列４９（図２参照）のノズルピッチと等しくなる位置に配置されている。なお、第１ノズル列群７１ａと第２ノズル列群７２ａとは、第１ノズル列群７１ａの副走査方向の下流側に位置する一部のノズル４３と第２ノズル列群７２ａの副走査方向の上流側に位置する一部のノズル４３とが、主走査方向において重複するように配置させてもよい。これにより、画像品質を向上させることができる。
【００５２】
第２ノズル列群７２ａと第１ノズル列群７１ｂとは、第２ノズル列群７２ａの下流側（＋Ｙ軸側）の端部に位置するノズル４３と、第１ノズル列群７１ｂの上流側（−Ｙ軸側）の端部に位置するノズル４３と、の副走査方向における間隔が、ノズル列４９のノズルピッチと等しくなる位置に配置されている。なお、第２ノズル列群７２ａと第１ノズル列群７１ｂとは、第２ノズル列群７２ａの副走査方向の下流側に位置する一部のノズル４３と第１ノズル列群７１ｂの副走査方向の上流側に位置する一部のノズル４３とが、主走査方向において重複するように配置させてもよい。さらに下流側（−Ｙ軸方向）に位置する第１ノズル列群７１及び第２ノズル列群７２についても、上述と同様に配置されている。図６に示すように、第１ノズル列群７１及び第２ノズル列群７２を副走査方向に複数設けることにより、副走査方向の広い領域に、一度の主走査でドットを形成させることができるので、記録装置としてのインクジェットプリンター２００の記録速度を向上させることができる。
【００５３】
第１照射部２５１及び第２照射部２５２は複数の照射器５５を有し、第１照射部２５１の照射器５５は、第１ノズル列群７１と同数であり、第２照射部２５２の照射器５５は、第２ノズル列群７２と同数である。詳しくは、照射器５５は、Ｘ軸方向からみて、第１ノズル列群７１または第２ノズル列群７２のＹ軸方向の幅と重なる位置に分割されて配置されている。また、第３照射部２５３は、複数の照射器５５が副走査方向（Ｙ軸方向）に隙間なく組み合わされ、Ｘ軸方向からみて、複数の第１ノズル列群７１及び複数の第２ノズル列群７２のＹ軸方向の幅と重なる位置に配置されている。図６に示すように、第１照射部２５１、第２照射部２５２、及び第３照射部２５３を複数の照射器５５で構成することにより、第１〜第３照射部２５１，２５２，２５３が故障した際は、照射器５５の単位での交換が可能となり、交換部材のコストの低下及び交換効率の向上を図ることができる。
【符号の説明】
【００５４】
６…インクカートリッジ、１０…用紙、２０…搬送ユニット、２１…給紙ローラー、２２…搬送モーター、２３…搬送ローラー、２４…プラテン、２５…排紙ローラー、３０…キャリッジユニット（走査部）、３１…キャリッジ、３２…キャリッジモーター、３５，２３５…ヘッドユニット、４２…ノズルプレート、４３…ノズル、４４…振動板、４５…圧電素子、４６…液滴、４７…キャビティー、４９…ノズル列、５０…照射部、５１…第１照射部、５２…第２照射部、５３…第３照射部、５５…照射器、６０…制御部、６１…インターフェイス部、６２…ＣＰＵ、６３…メモリー、６４…ユニット制御回路、６５…駆動信号生成部、７０…ノズル列群、７１…第１ノズル列群、７２…第２ノズル列群、１００，２００…インクジェットプリンター（記録装置）、１１０…コンピューター。
【図１】
2016182721.tif 000003
【図２】
2016182721.tif 000004
【図３】
2016182721.tif 000005
【図４】
2016182721.tif 000006
【図５】
2016182721.tif 000007
【図６】
2016182721.tif 000008
【図７】
2016182721.tif 000009